【事件の表示】
　特許第３３８４５０２号「回転多面鏡光偏向装置」の請求項１に係る特許に対する特許異議の申立てについて、次のとおり決定する。
【結　論】
　訂正を認める。
　本件特許異議の申立てを却下する。
【理　由】
１．手続の経緯
　本件特許第３３８４５０２号の請求項１ないし３に係る発明についての出願は、平成５年７月３０日に出願され、平成１４年１２月２７日にその特許権の設定登録がなされ、その後、平成１５年９月４日に、請求項１に係る発明の特許に対して特許異議申立人キヤノン株式会社より特許異議の申立てがなされ、平成１５年１１月２０日付けで請求項１に係る発明の特許権の取消しの理由が通知され、その指定期間内である平成１６年２月２日に訂正請求がなされたものである。
２．訂正の適否についての判断
（１）訂正の内容
　特許権設定登録時の明細書中の特許請求の範囲の請求項１を削除し、請求項２及び請求項３の項番をそれぞれ繰り上げ請求項１及び請求項２とする。また、前記訂正にともない、前記明細書段落００２０の記載の削除、同段落００２１の記載の訂正、及び同段落００２１以降の段落番号表示を訂正する。
（２）訂正の目的の適否、新規事項の有無及び拡張・変更の存否
　上記訂正は、特許請求の範囲の減縮、あるいは明りょうでない記載の釈明を目的とするものであって、新規事項の追加に該当せず、実質上特許請求の範囲を拡張又は変更するものではない。
（３）むすび
　以上のとおりであるから、上記訂正は、特許法第１２０条の４第２項及び同条第３項で規定する訂正について、平成６年法律第１１６号附則第６条第１項の規定により、なお従前の例によるとされる、同法律改正前の特許法第１２６条第１項ただし書き及び同第２項の規定に適合するので、当該訂正を認める。
３．特許異議の申立てについての判断
　請求項１に係る発明は、訂正の結果削除され、特許異議の申立ての対象が存在しないので、この特許異議の申立ては、結果として、不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１６年２月２３日（２００４．２．２３）
【訂正の要旨】
審決（決定）の【理由】欄参照。
（５４）【発明の名称】
回転多面鏡光偏向装置
（５７）【特許請求の範囲】
　【請求項
１
　所定圧の気体によって軸支された回転軸に円盤形状の回転多面鏡を固定してなる回転多面鏡光偏向装置において、
　上記回転多面鏡のスラスト端面に対して、上記回転軸の長手方向から上記回転軸の長手方向の中心位置に向かつて所定圧の気体を供給し、上記回転多面鏡をスラスト方向に支えるようにした
　ことを特徴とする回転多面鏡光偏向装置。
　【請求項
２
　所定圧の気体によって軸支された回転軸に円盤形状の回転多面鏡を固定してなる回転多面鏡光偏向装置において、
　上記回転多面鏡のスラスト端面に対して、所定圧の気体を供給し、上記回転多面鏡をスラスト方向に支えるようにした
　ことを特徴とする回転多面鏡光偏向装置。
【発明の詳細な説明】
　【０００１】
　【目次】
　以下の順序で本発明を説明する。
産業上の利用分野
従来の技術（図４）
発明が解決しようとする課題（図４）
課題を解決するための手段（図１）
作用（図１）
実施例（図１〜図３）
発明の効果
　【０００２】
　【産業上の利用分野】
　本発明は回転多面鏡光偏向装置に関し、空気軸受を用いた回転多面鏡光偏向装置に適用して好適なものである。
　【０００３】
　【従来の技術】
　従来、回転多面鏡（以下これをポリゴンミラーと呼ぶ）を用いて光ビームを所定方向に反射及び走査する回転多面鏡光偏向装置として図４に示すような構成のものが考えられている。
　【０００４】
　すなわち図４において１は全体として回転多面鏡光偏向装置を示し、下ブロツク２、中間ブロツク６、上ブロツク３と、下ブロツク２及び中間ブロツク６間に設けられた配管ブロツク４と、中間ブロツク６及び上ブロツク３間に設けられた配管ブロック５によって構成される。
　【０００５】
　中間ブロック６の内周部にはマグネツトワイヤ２８を巻回してなる鉄心２１が設けられており、当該鉄心２１の内周面にはセラミツク等でなるステータリング２２が固定されている。
　【０００６】
　また当該ステータリング２２の内周面側には微小な間隙２５を隔てて樹脂材料等でなるロータリング２３が遊嵌されており、当該ロータリング２３の内周面には周囲にマグネツト２４を嵌合固定した回転軸２６が嵌合されている。従つて回転軸２６、マグネツト２４、ロータリング２３でなるロータ部がステータリング２２の内周面に対して微小な間隙２５を隔てて回転自在に枢支される。
　【０００７】
　ここで回転軸２６の上端部にはスラスト軸受部材３７が螺子３６Ａ及び３６Ｂによつて固定されており、当該スラスト軸受部材３７は配管ブロツク５に固定された円盤部材３１に対して微小な間隙を隔てて対向するように配置される。
　【０００８】
　このスラスト軸受部材３７には周側面に複数のミラー３３Ａを形成してなるポリゴンミラー３３が嵌合され、固定円盤３５を介して螺子３４によつて回転軸２６に締結されている。
　【０００９】
　またこれに対して回転軸２６の下端部にはスラスト軸受部材４２が螺子４６Ａ及び４６Ｂによって固定されており、当該スラスト軸受部材４２は配管ブロツク４に固定された円盤部材４１に対して微小な間隙を隔てて対向するように配置される。
　【００１０】
　このスラスト軸受部材４２にはポリゴンミラー３３とほぼ同様の重量でなる円盤部材４３が嵌合され、固定円盤４５を介して螺子４４によつて回転軸２６に締結されている。従つて当該円盤部材４３及びポリゴンミラー３３によつてバランスがとられ、回転軸２６を回転させた際の円滑な回転を実現し得るようになされている。
　【００１１】
　ここで中間ブロツク６には圧縮空気を導入するための通路６Ａが形成されており、継手１５から給気された圧縮空気は当該通路６Ａを介して、鉄心２１に形成された通路２１Ａに導入される。さらに当該通路２１Ａに導入された圧縮空気は、ステータリング２２に形成された絞り通路を介してステータリング２２及びロータリング２３間に形成された間隙２５に供給される。
　【００１２】
　かくして当該間隙２５に圧縮空気が導入されることにより、当該空気層を介して回転軸２６がラジアル方向に軸支される。また当該間隙２５に導入された圧縮空気は配管ブロツク４及び５にそれぞれ形成された通路４Ｂ及び５Ｂを介して継手１１及び１３からそれぞれ排気される。
　【００１３】
　これに対して配管ブロツク４には圧縮を導入するための通路４Ａが形成されており、継手１２から給気された圧縮空気は当該通路４Ａを介して、円盤部材４１及びスラスト軸受部材４２間に形成された間隙に供給される。従つて当該間隙に圧縮空気が導入されることにより、当該空気層を介してスラスト軸受部材４２及びこれに固定された回転軸２６がスラスト方向に軸支される。
　【００１４】
　また配管ブロツク５には圧縮を導入するための通路５Ａが形成されており、継手１４から給気された圧縮空気は当該通路５Ａを介して、円盤部材３１及びスラスト軸受部材３７間に形成された間隙に供給される。従つて当該間隙に圧縮空気が導入されることにより、当該空気層を介してスラスト軸受部材３７及びこれに固定された回転軸２６がスラスト方向に軸支される。
　【００１５】
　このように継手１２、１４及び１５から給気された圧縮空気によつて回転軸２６はラジアル方向及びスラスト方向に軸支され、この状態においてマグネツトワイヤ２８に駆動電流を通電することにより、回転軸２６を回転させることができる。
　【００１６】
　このとき当該回転軸２６に固定されたポリゴンミラー３３のミラー面３３Ａに、上ブロツク３の開口３Ａを介して光ビームを照射することにより、当該光ビームをポリゴンミラー３３の回転に応じて所定方向に反射及び走査させることができる。
　【００１７】
　【発明が解決しようとする課題】
　ところでかかる構成の回転多面鏡光偏向装置１においては、回転軸２６を６万〜８万［ｒｐｍ］程度の回転数で回転させることにより、間隙２５における空気の粘性抵抗によつて当該ラジアル軸受部分において発熱する。このときポリゴンミラー３３はスラスト軸受部材３７を介して回転軸２６に固定されていることにより、発熱源からの導熱経路が複雑化してポリゴンミラー３３の取り付け部に対する熱膨張量及び膨張方向が不均一となり、ポリゴンミラー３３のミラー面３３Ａの回転精度が劣化する問題があつた。
　【００１８】
　さらにポリゴンミラー３３はスラスト軸受部材３７を介して回転軸２６に固定されていることにより、回転体の軸長が長くなり固有振動数を十分に高くし得ず、安定した回転を実現し得ない問題があつた。
　【００１９】
　本発明は以上の点を考慮してなされたもので、一段と高精度で回転多面鏡を回転し得る回転多面鏡光偏向装置を提案しようとするものである。
　【００２０】
　
【課題を解決するための手段】
　
かかる課題を解決するため本発明においては、
　【００２１】
　また本発明においては、所定圧の気体によつて軸支された回転軸６６に円盤形状の回転多面鏡７１を固定してなる回転多面鏡光偏向装置５０において、回転多面鏡７１のスラスト端面７１Ｂに対して、所定圧の気体を供給し、回転多面鏡７１をスラスト方向に支えるようにする。
　【００２２】
　【作用】
　回転多面鏡７１のスラスト端面７１Ｂを直接スラスト軸受として用いることにより、回転多面鏡７１を一段と高精度で回転させることができる。
　【００２３】
　【実施例】
　以下図面について、本発明の一実施例を詳述する。
　【００２４】
　図４との対応部分に同一符号を付して示す図１において、回転多面鏡光偏向装置５０は下ブロツク５２、中間ブロツク５６、上ブロツク５４及びポリゴンミラー３３を囲む筐体５３によつて構成されている。
　【００２５】
　回転軸６６はその周側面に固定されたロータリング２３及びステータリング２２間に形成された間隙２５に供給される圧縮空気をラジアル軸受として回転自在に枢支されている。
　【００２６】
　回転軸６６の上端部に形成された周側面６６Ａにはポリゴンミラー７１が直接嵌合され、固定円盤６７によつて回転軸６６に固定されている。このポリゴンミラー７１のスラスト面は上ブロツク５４に対して微小な間隙７４を隔てて対向するように配置されている。
　【００２７】
　また回転軸６６の下端部に形成された周側面６６Ｂにはポリゴンミラー７１とほぼ同様の重量でなる円盤部材７２が直接嵌合され、固定円盤６８によつて回転軸６６に固定されている。この円盤部材７２のスラスト面は下ブロツク５２に対して微小な間隙７３を隔てて対向するように配置されている。
　【００２８】
　ここで上ブロツク５４には圧縮空気を導入するための通路５４Ａが形成されており、当該通路５４Ａに導入された圧縮空気はポリゴンミラー７１のスラスト面及び上ブロツク５４間の間隙７４に絞り通路を介して供給される。
　【００２９】
　従つてポリゴンミラー７１は間隙７４に供給された圧縮空気によつてスラスト方向に軸支される。
　【００３０】
　これに対して下ブロツク５２には圧縮空気を導入するための通路５２Ａが形成されており、当該通路５２Ａに導入された圧縮空気は円盤部材７２のスラスト面及び下ブロツク５２間の間隙７３に絞り通路を介して供給される。
　【００３１】
　従つて円盤部材７２は間隙７３に供給された圧縮空気によつてスラスト方向に軸支される。
　【００３２】
　かくして回転軸６６は間隙２５に供給された圧縮空気によつてラジアル方向に軸支されると共に、間隙７３及び７４に供給された圧縮空気によつてスラスト方向に軸支され、全体として回転自在に枢支されることにより、鉄心２１に巻回されたマグネツトワイヤに駆動電流を通電してこれを回転駆動することができる。
　【００３３】
　従つてこの状態においてポリゴンミラー７１のミラー面７１Ａに対して筐体５３の開口５３Ａを介して光ビームを照射することにより、当該ミラー面７１Ａにおいて光ビームを所定方向に反射及び走査することができる。
　【００３４】
　以上の構成において、回転多面鏡光偏向装置５０は回転軸６６の周側面６６Ａに対してポリゴンミラー７１を直接嵌合固定することにより、従来のようにスラスト軸受部材３７（図４）を介してポリゴンミラーを回転軸に固定する場合に比して、回転軸６６の軸長が短くなる。
　【００３５】
　また圧縮空気を供給する方向を回転軸６６の長手方向の端部から当該回転軸６６の軸線の中心部に向かうようにしたことにより、従来のように回転軸２６の長手方向の中心側から長手方向の端部側に向かうようにした場合に比して鉄心２１及びポリゴンミラー間に配管ブロツク５（図４）を介挿することを回避し得、この分回転軸６６の軸長が短くなる。
　【００３６】
　以上の構成によれば、回転軸６６の軸長を短くすることができることにより、固有振動数が高くなり、この分安定した回転を高剛性によつて実現することができる。
　【００３７】
　またポリゴンミラー７１を直接回転軸６６に嵌合固定することにより、当該固定部における部品点数を削減することができ、この分ラジアル軸受として設けられた間隙２５において発生した熱の導熱経路を簡素化することができ、全体として熱膨張量及び膨張方向を均一化し得、回転体内部での複雑な歪みの発生を防止することができる。従つて高温下においてもポリゴンミラー７１のミラー面７１Ａの回転精度の劣化を防止することができる。
　【００３８】
　またこの場合、スラスト軸受部材３７（図４）を削減し得ることにより、部品誤差の累積を低減し得、この分ポリゴンミラー７１の回転精度を向上することができる。
　【００３９】
　さらにポリゴンミラー７１のスラスト面に直接圧縮空気を供給して、当該スラスト面をスラスト軸受として用いることにより、当該ポリゴンミラー７１のミラー面７１Ａの回転精度を向上することができる。
　【００４０】
　なお上述の実施例においては、ポリゴンミラー７１に対する圧縮空気の供給方向を回転軸６６の長手方向の端部から当該回転軸６６の軸線の中心部に向かうようにした場合について述べたが、本発明はこれに限らず、例えば図２に示すように筐体ブロツク８１からポリゴンミラー８３に対して、回転軸８２の軸線の長手方向に対する中心側から、当該回転軸８２の長手方向の端部側に向かつて筐体ブロツク８１の通路（図示せず）から圧縮空気を供給し、筐体ブロツク８１及びポリゴンミラー８３のスラスト面間に形成された間隙８５に供給された圧縮空気をスラスト軸受として用いるようにしても、ポリゴンミラー８３のスラスト面に直接圧縮空気を供給する点、及びポリゴンミラー８３を直接回転軸８２に固定してスラスト軸受部材３７（図４）を削減する点において上述の場合と同様の効果を得ることができる。
　【００４１】
　またこれに対して図３に示すように、筐体ブロツク９１の中心部分にポリゴンミラー９３を配置し、当該ポリゴンミラー９３の上下２つのスラスト面及び筐体ブロツク９１間に形成された間隙９４及び９５に圧縮空気を供給するようにしても上述の実施例と同様の効果を得ることができる。
　【００４２】
　また上述の実施例においては、外部から圧縮空気を供給するようになされたいわゆる静圧型の軸受を用いた回転多面鏡光偏向装置について述べたが、本発明はこれに限らず、回転によつて所定圧の空気層を形成するいわゆる動圧型の軸受を用いた回転多面鏡光偏向装置においても本発明を適用して好適である。
　【００４５】
　さらに上述の実施例においては、気体軸受の媒体として圧縮空気を用いた場合について述べたが、本発明はこれに限らず、空気以外の種々の気体を用いても良い。
　【００４４】
　【発明の効果】
　上述のように本発明によれば、回転多面鏡を回転軸の周側面に直接嵌合固定すると共に、当該回転多面鏡のスラスト端面に圧縮空気を供給して、当該スラスト端面をスラスト軸受として用いるようにしたことにより、回転多面鏡を一段と高精度で回転させることができる回転多面鏡光偏向装置を実現し得る。
【図面の簡単な説明】
　【図１】
　本発明による回転多面鏡光偏向装置の一実施例を示す断面図である。
　【図２】
　他の実施例を示す略線図である。
　【図３】
　他の実施例を示す略線図である。
　【図４】
　従来の回転多面鏡光偏向装置を示す断面図である。
　【符号の説明】
　５０……回転多面鏡光偏向装置、５２……下ブロツク、５４……上ブロツク、６６……回転軸、７１……ポリゴンミラー、７２……円盤部材。